(57)【特許請求の範囲】
【請求項１】
容器本体１と、この容器本体１の上面を蓋する蓋体２と、上記容器本体１の後端部に穿設された第１のヒンジ軸挿通穴４と、上記第１のヒンジ軸挿通穴４に対応する上記蓋体２の後端部の部分に穿設された第２のヒンジ軸挿通穴５ａと、上記第１および第２のヒンジ軸挿通穴４，５ａに挿通され上記容器本体１の後端部に蓋体２の後端部を回動自在に連結するヒンジ軸６とを備え、上記ヒンジ軸６が、内部に中空部分が軸心方向に沿って貫通状に穿設された合成樹脂製の棒状体からなり、上記中空部分が、ヒンジ軸６の中央部に穿設された中央孔１６と、ヒンジ軸６の外周部に上記中央孔１６と同心円上に等間隔をあけて穿設された複数の横断面形状略長方形の外周孔１５と、これら各外周孔１５の内側において上記中央孔１６から放射状に延びる複数の放射溝１７とからなり、上記棒状体が縮径されて中央孔１６，外周孔１５および放射溝１７が縮小もしくは潰れた状態で上記両ヒンジ軸挿通穴４，５ａに抜け止め状に挿入・固定されていることを特徴とするコンパクト容器。
【発明の詳細な説明】
【０００１】
【発明の属する技術分野】
本発明は、容器本体と蓋体を回動自在に連結するヒンジ軸として合成樹脂製のものを用いたコンパクト容器に関するものである。
【０００２】
【従来の技術】
ファンデーション等の化粧料を収容して携帯するコンパクト容器としては、従来から、図５に示すようなタイプのものが汎用されている。このコンパクト容器は、上面に化粧皿収容凹部１ａが形成された合成樹脂製の容器本体１と、この容器本体１の上面を蓋する合成樹脂製の蓋体２で構成されており、上記容器本体１の後端部中央に形成された後側切欠き凹部３の左右両側部３ａ，３ｂにヒンジ軸挿通穴４が貫通状に穿設されているとともに、上記蓋体２の後端部中央から垂下するヒンジ連結部５にヒンジ軸挿通穴５ａ（図５の縦断面図である図６参照）が貫通状に穿設されている。そして、上記両ヒンジ軸挿通穴４，５ａに金属製ピンからなるヒンジ軸６が挿通されており、これにより、容器本体１に蓋体２がヒンジ連結されている。図５において、７は蓋体２の下面に貼着されたガラス製の鏡であり、８は合成樹脂製の開蓋用押しボタンである。
【０００３】
このようなコンパクト容器では、通常、ヒンジ軸６は容器本体１に穿設されたヒンジ軸挿通穴４（もしくは蓋体２に穿設されたヒンジ軸挿通穴５ａ）に無理嵌めされており、そのヒンジ軸挿通穴４（５ａ）から簡単に抜き取ることができないようになっている。これは、コンパクト容器を携帯する際に、振動や落下等によりコンパクト容器に外力が加わっても、容器本体１から蓋体２が外れないように考慮したものである。
【０００４】
【発明が解決しようとする課題】
近年、年々増加する廃棄物の処理が社会問題化しており、ごみ排出量の抑制と資源リサイクル促進の必要性が高まっている。このため、ごみの種類によって、分別収集を義務づける自治体も増えている。また、製造業者にも、容器や包装物等のリサイクルが義務づけられる傾向になってきている。しかしながら、上記のような、従来のコンパクト容器では、容器本体１，蓋体２からヒンジ軸６を簡単に取り外すことができないため、使用しなくなったコンパクト容器を廃棄する際に、合成樹脂廃棄物である容器本体１，蓋体２と、金属廃棄物であるヒンジ軸６と、ガラス廃棄物である鏡７とに分離して廃棄することが行われておらず、ごみの分別収集に対応することができていないのが実情である。そこで、上記ごみの分別収集に簡単に対応することができるよう、ヒンジ軸６を合成樹脂廃棄物として容器本体１，蓋体２と一緒に廃棄することのできるコンパクト容器が強く要望されている。
【０００５】
本発明は、このような事情に鑑みなされたもので、ヒンジ軸を合成樹脂廃棄物として容器本体，蓋体と一緒に廃棄することのできるコンパクト容器の提供をその目的とする。
【０００６】
【課題を解決するための手段】
上記の目的を達成するため、本発明のコンパクト容器は、容器本体１と、この容器本体１の上面を蓋する蓋体２と、上記容器本体１の後端部に穿設された第１のヒンジ軸挿通穴４と、上記第１のヒンジ軸挿通穴４に対応する上記蓋体２の後端部の部分に穿設された第２のヒンジ軸挿通穴５ａと、上記第１および第２のヒンジ軸挿通穴４，５ａに挿通され上記容器本体１の後端部に蓋体２の後端部を回動自在に連結するヒンジ軸６とを備え、上記ヒンジ軸６が、内部に中空部分が軸心方向に沿って貫通状に穿設された合成樹脂製の棒状体からなり、上記中空部分が、ヒンジ軸６の中央部に穿設された中央孔１６と、ヒンジ軸６の外周部に上記中央孔１６と同心円上に等間隔をあけて穿設された複数の横断面形状略長方形の外周孔１５と、これら各外周孔１５の内側において上記中央孔１６から放射状に延びる複数の放射溝１７とからなり、上記棒状体が縮径されて中央孔１６，外周孔１５および放射溝１７が縮小もしくは潰れた状態で上記両ヒンジ軸挿通穴４，５ａに抜け止め状に挿入・固定されているという構成をとる。
【０００７】
すなわち、本発明のコンパクト容器は、容器本体の後端部の第１のヒンジ軸挿通穴および蓋体の後端部の第２のヒンジ軸挿通穴に挿通して容器本体の後端部に蓋体の後端部を回動自在に連結するヒンジ軸を、内部に中空部分が軸心方向に沿って貫通状に穿設された合成樹脂製の棒状体で構成し、これを縮径させた状態で上記両ヒンジ軸挿通穴に抜け止め状に挿入・固定している。このように、本発明のコンパクト容器では、内部に中空部分が軸心方向に沿って貫通状に穿設された合成樹脂製の棒状体をヒンジ軸として用いているため、このヒンジ軸を、これより小径の上記両ヒンジ軸挿通穴に押し込むと、ヒンジ軸が縮径しながら（すなわち、ヒンジ軸を上記両ヒンジ軸挿通穴に押し込むと、ヒンジ軸の外周面を内側に押圧する外力が作用し、この外力によりヒンジ軸の中実部分が押圧されて中空部分を埋めながら内側に移動する）、上記両ヒンジ軸挿通穴内に挿通されて、抜け止め状に固定される。したがって、本発明のコンパクト容器を携帯する際に、振動や落下等によりコンパクト容器に外力が加わっても、容器本体から蓋体が外れることがない。また、蓋体を回動させたときにヒンジ軸の外周面に摺動抵抗が生じ、蓋体を所定の角度で止めることができる等ヒンジ軸として有効に作用する。しかも、本発明のコンパクト容器は、ヒンジ軸を合成樹脂製の棒状体で構成しているため、廃棄時に合成樹脂製の容器本体，蓋体からヒンジ軸を取り外す必要がなく、ヒンジ軸を合成樹脂廃棄物として容器本体，蓋体と一緒に廃棄することができ、ごみの分別収集に対応することができる。
【０００８】
また、本発明では、上記中空部が、ヒンジ軸の中央部に軸心に沿って穿設された中央孔と、この中央孔から放射状に延びる複数の放射溝とからなるため、ヒンジ軸を上記両ヒンジ軸挿通穴に挿入するときに、ヒンジ軸の外周部が略均一に縮径しやすく、ヒンジ軸として有効利用できる。
【０００９】
本発明は、ヒンジ軸として、内部に中空部分が軸心方向に沿って貫通状に穿設された合成樹脂製の棒状体が用いられている。
【００１０】
上記棒状体を構成する合成樹脂材料としては、ポリエチレン，ポリプロピレン，ポリアセタール，ナイロン等の熱可塑性樹脂材料が用いられる。このような棒状体には、その内部に中空部分が軸心方向に沿って貫通状に穿設されており、その結果、この棒状体を、これより小径の容器本体の後端部の第１のヒンジ軸挿通穴，蓋体の後端部の第２のヒンジ軸挿通穴に挿通したときに、棒状体が容易に縮径する。上記ヒンジ軸として、図２に示すような横断面形状を有する異形モノフィラメント等が好適に用いられる。このような異形モノフィラメントは、上記横断面形状と相似形のダイスを用い、押し出し成形機により成形することができる。
【００１１】
【発明の実施の形態】
つぎに、本発明の実施の形態を図面にもとづいて詳しく説明する。
【００１２】
図１は本発明のコンパクト容器の一実施の形態を示している。図において、１は合成樹脂製の容器本体で、２は合成樹脂製の蓋体であり、これら容器本体１および蓋体２（後述の鏡７ａを除く）は、従来例と同様の構造をしている。すなわち、上記容器本体１には、その上面に化粧皿収容凹部１ａが形成されており、この化粧皿収容凹部１ａに、化粧料が収容された金属製の化粧皿（図示せず）が、その底面に設けた接着剤層を介して収容，固定されている。また、上記容器本体１の前端面の中央部が切欠き形成されており、この前側切欠き凹部１０の奥面に係合用突部１１が突設されている。また、上記前側切欠き凹部１０の左右両側面に、相対峙するようにして突部（図示せず）が突設されており、これら両突部に合成樹脂製の開蓋用押しボタン８が回動自在に支受されている。また、上記容器本体１の後端面の中央部が切欠き形成されており、この後側切欠き凹部３の左右両側部３ａ，３ｂに、両側部３ａ，３ｂを貫通するようにして一直線状に延びる断面形状円形のヒンジ軸挿通穴４が穿設されている。
【００１３】
一方、上記蓋体２には、その前端部の中央部下面から、閉蓋時に上記容器本体１の前側切欠き凹部１０の係合用突部１１に係合しうる係合用突出片１３が垂下している。また、上記蓋体２の後端部から、容器本体１の後側切欠き凹部３に収容しうるヒンジ連結部５が垂下しており、上記後側切欠き凹部３の左右両側部３ａ，３ｂのヒンジ軸挿通穴４に対応する上記ヒンジ連結部５の部分に断面形状円形のヒンジ軸挿通穴５ａが一直線状に穿設されている。この実施の形態では、鏡７ａとして、上記蓋体２の下面にアクリルミラーもしくはホットスタンプ（アルミニウム箔，銀箔等）が設けられている。このように、鏡７ａをアクリルミラーもしくはホットスタンプで代用すると、これに使用する金属材料がごく僅かであるため、鏡７ａを合成樹脂廃棄物として蓋体２と一緒に廃棄することができる。図において、１２は容器本体１の化粧皿収容凹部１ａの底部に穿設された小穴であり、化粧皿を化粧皿収容凹部１ａから取外す際に利用される。
【００１４】
上記容器本体１の後側切欠き凹部３の左右両側部３ａ，３ｂに穿設された両ヒンジ軸挿通穴４、および上記蓋体２のヒンジ連結部５に穿設されたヒンジ軸挿通穴５ａには、１本の長いヒンジ軸６が挿通されている。このヒンジ軸６は、図２に示すような横断面形状を有するナイロン製の異形モノフィラメントで構成されている。すなわち、この異形モノフィラメントは、上記両ヒンジ軸挿通穴４，５ａより大径に形成されており、その外周部には、同心円上に等間隔をあけて配設された１２個の断面形状略長方形の外周孔１５が軸心に沿って貫通状に穿設されている。また、上記異形モノフィラメントの中心部には、中央孔１６が軸心に沿って貫通状に穿設されているとともに、この中央孔１６から放射状に延びる６本の蛇行状放射溝１７が軸心に沿って貫通状に穿設されている。このようなヒンジ軸６を、これより小径の上記両ヒンジ軸挿通穴４，５ａに挿通すると、図３に示すように、上記外周孔１５，中央孔１６，蛇行状放射溝１７で囲まれる中実部分１８同士が近づき合いながら内側に移動し、全体として縮径化される。
【００１５】
この構成において、容器本体１に蓋体２を組み付ける場合には、まず、図１に示すように、容器本体１の後側切欠き凹部３に蓋体２のヒンジ連結部５を挿入して後側切欠き凹部３の左右両側部３ａ，３ｂのヒンジ軸挿通穴４にヒンジ連結部５のヒンジ軸挿通穴５ａを位置決めし、その状態で、ヒンジ軸６をヒンジ軸挿通穴４，５ａに押し入れて、無理嵌め状に挿通することが行われる（図３参照）。これにより、ヒンジ軸６が縮径しながら両ヒンジ軸挿通穴４，５ａ内を通り、ヒンジ軸６の外周面が両ヒンジ軸挿通穴４，５ａの内周面に圧接した状態で、容器本体１と蓋体２とが回動自在に連結される。一方、化粧皿を化粧皿収容凹部１ａから取り外す場合には、この化粧皿収容凹部１ａの底部の穴１２から細棒を挿入して化粧皿を押し上げることが行われる。これにより、化粧皿の底面の接着剤層が化粧皿収容凹部１ａから離れ、上方に取り出すことができるようになる。
【００１６】
上記のように、この実施の形態では、容器本体１，蓋体２からヒンジ軸６，鏡７ａを取り外すことなく、容器本体１，蓋体２，ヒンジ軸６，鏡７ａを合成樹脂廃棄物として廃棄することができる。このため、コンパクト容器を廃棄する場合に、合成樹脂製の容器本体１，蓋体２，ヒンジ軸６と、金属製の化粧皿とに簡単に分けることができ、ごみの分別収集に簡単に対応することができる。しかも、ヒンジ軸６の内部に１２個の外周孔１５，中央孔１６，６本の蛇行状放射溝１７を穿設しているため、このヒンジ軸６を両ヒンジ軸挿通穴４，５ａに挿通させる際に、ヒンジ軸６が略均一に縮径する。
【００１７】
図４は本発明のコンパクト容器の他の実施の形態を示している。この実施の形態では、図１に示す１本のヒンジ軸６に代えて、このヒンジ軸６より短い２本のヒンジ軸６ａ，６ｂを用いている。そして、一方のヒンジ軸（図面では、左側のヒンジ軸）６ａを容器本体１の後側切欠き凹部３の左側部３ａに穿設したヒンジ軸挿通穴４と蓋体２のヒンジ連結部５に穿設したヒンジ軸挿通穴５ａの左側部分に無理嵌め状に挿通し、他方のヒンジ軸（図面では、右側のヒンジ軸）６ｂを上記後側切欠き凹部３の右側部３ｂに穿設したヒンジ軸挿通穴４と上記ヒンジ連結部５に穿設したヒンジ軸挿通穴５ａの右側部分に無理嵌め状に挿通している。それ以外の部分は上記実施の形態と同様であり、同様の部分には同じ符号を付している。この実施の形態でも、上記実施の形態と同様の作用・効果を奏する。
【００１８】
なお、本発明のコンパクト容器は、図１および図２に示すコンパクト容器に限定するものではなく、容器本体１と蓋体２とがヒンジ連結により開閉するものであれば、どのような構成のコンパクト容器であっても差し支えはない。
【００１９】
【発明の効果】
以上のように、本発明のコンパクト容器によれば、内部に中空部分が軸心方向に沿って貫通状に穿設された合成樹脂製の棒状体をヒンジ軸として用いているため、このヒンジ軸を、これより小径の上記両ヒンジ軸挿通穴に押し込むと、ヒンジ軸が縮径し（ヒンジ軸の外周面に対して外力が加えられ、この外力によりヒンジ軸の中実部分が押されて中空部分を埋めながら内側に移動し）ながら、上記両ヒンジ軸挿通穴内に挿通されて、抜け止め状に固定される。したがって、本発明のコンパクト容器を携帯する際に、振動や落下等によりコンパクト容器に外力が加わっても、容器本体から蓋体が外れることがない。また、蓋体を回動させたときにヒンジ軸の外周面に摺動抵抗が生じ、蓋体を所定の角度で止めることができる等ヒンジ軸として有効に作用する。しかも、本発明のコンパクト容器は、ヒンジ軸を合成樹脂製の棒状体で構成しているため、廃棄時に合成樹脂製の容器本体，蓋体からヒンジ軸を取り外す必要がなく、ヒンジ軸を合成樹脂廃棄物として容器本体，蓋体と一緒に廃棄することができ、ごみの分別収集に対応することができる。
【００２０】
また、本発明では、上記中空部が、ヒンジ軸の中央部に軸心に沿って穿設された中央孔と、この中央孔から放射状に延びる複数の放射溝とからなるため、ヒンジ軸を上記両ヒンジ軸挿通穴に挿入するときに、ヒンジ軸の外周部が略均一に縮径しやすく、ヒンジ軸として有効利用できる。
【図面の簡単な説明】
【図１】  本発明のコンパクト容器の一実施の形態を示す分解斜視図である。
【図２】  ヒンジ軸の拡大断面図である。
【図３】  上記ヒンジ軸が縮径しているところを示す拡大断面図である。
【図４】  本発明のコンパクト容器の他の実施の形態を示す分解斜視図である。
【図５】  従来例を示す斜視図である。
【図６】  上記従来例の要部の断面図である。
【符号の説明】
１  容器本体
２  蓋体
４，５ａ  ヒンジ軸挿通穴
６  ヒンジ軸
【図１】
0003929124.tif 000002
【図２】
0003929124.tif 000003
【図３】
0003929124.tif 000004
【図４】
0003929124.tif 000005
【図５】
0003929124.tif 000006
【図６】
0003929124.tif 000007